(57)【要約】【課題】  面状ユニット同士を表側から連結可能な面構造体及び面構造体を組み合わせて構成した建築構造体を提供する。【解決手段】  面構造体は、複数の面状ユニットと、連結部カバーを備え、面状ユニットは、両端に桟を有しており、一方の桟が取付部を有し、他方の桟が被取付部を有しており、面状ユニット同士の連結部において、一方の面状ユニットの取付部と他方の面状ユニットの被取付部が見込方向に重なっていて、取付部側からネジ止めしてあり、ネジを連結部カバーで覆ってある。また、建築構造体は、上記面構造体が対面配置してあり、両面構造体の取付部が外側を向いている。【選択図】      図１
2015127469.tif 000002
【特許請求の範囲】
【請求項１】
複数の面状ユニットと、連結部カバーを備え、面状ユニットは、両端に桟を有しており、一方の桟が取付部を有し、他方の桟が被取付部を有しており、面状ユニット同士の連結部において、一方の面状ユニットの取付部と他方の面状ユニットの被取付部が見込方向に重なっていて、取付部側からネジ止めしてあり、ネジを連結部カバーで覆ってあることを特徴とする面構造体。
【請求項２】
請求項１記載の面構造体が対面配置してあり、両面構造体の取付部が外側を向いていることを特徴とする建築構造体。
【発明の詳細な説明】
【技術分野】
【０００１】
本発明は、フェンスなどの面構造体及び面構造体を組み合わせて構成した建築構造体に関する。
【背景技術】
【０００２】
フェンスなどの面構造体において、所定見付幅の面状ユニットを複数並べて構成したものがあり、面状ユニット同士は、非特許文献１に示すように、連結材を挟んでネジ止めして連結していた。この際、ネジが目立たないよう、面構造体の裏側（住宅の敷地境界に設置するフェンスであれば住宅側）からネジ止めしていた。
【先行技術文献】
【非特許文献】
【０００３】
【非特許文献１】「三協立山アルミ  ガーデンエクステリア  施工手引き書  門まわり（３）  フェンス関連編（ＳＴＸ０３５８Ａ）」、三協立山アルミ株式会社、２００８年１１月、ｐ．２８４
【発明の概要】
【発明が解決しようとする課題】
【０００４】
しかしながら、このような従来の面構造体によれば、面構造体の裏側に近接して壁面などの構造物が位置する場合や、面構造体を背中合わせに配置して両面意匠の建築構造体を形成する場合には、面状ユニット同士を連結するためのネジ止めを行うことができず、施工できなかった。
【０００５】
本発明は、上記事情を鑑みたものであり、面状ユニット同士を表側から連結可能な面構造体及び面構造体を組み合わせて構成した建築構造体を提供することを目的とする。
【課題を解決するための手段】
【０００６】
本発明のうち請求項１の発明は、複数の面状ユニットと、連結部カバーを備え、面状ユニットは、両端に桟を有しており、一方の桟が取付部を有し、他方の桟が被取付部を有しており、面状ユニット同士の連結部において、一方の面状ユニットの取付部と他方の面状ユニットの被取付部が見込方向に重なっていて、取付部側からネジ止めしてあり、ネジを連結部カバーで覆ってあることを特徴とする。
【０００７】
本発明のうち請求項２の発明は、請求項１記載の面構造体が対面配置してあり、両面構造体の取付部が外側を向いていることを特徴とする。
【発明の効果】
【０００８】
本発明のうち請求項１の発明によれば、取付部を表側に向けることで、面状ユニット同士を連結するためのネジ止めを表側から行うことができるので、面構造体の裏側に近接して壁面などの構造物が位置する場合であっても施工が可能であり、またネジを連結部カバーで覆ってあるので意匠性が良好である。
【０００９】
本発明のうち請求項２の発明によれば、取付部が外側（表側）を向いており、面状ユニット同士を連結するためのネジ止めを外側（表側）から行うことができるので、面構造体を背中合わせに配置した両面意匠の建築構造体の施工が可能であり、またネジを連結部カバーで覆ってあるので意匠性が良好である。
【図面の簡単な説明】
【００１０】
【図１】面状ユニット同士の連結部の横断面図である。
【図２】面構造体の横断面図である。
【図３】面構造体の縦断面図である。
【図４】面構造体の正面図である。
【図５】建築構造体の横断面図である。
【図６】建築構造体の縦断面図である。
【発明を実施するための形態】
【００１１】
以下、本発明の実施の形態を図面に基づいて説明する。この面構造体は、種々の場所に設置されるフェンスやスクリーンとして用いられるものであるが、ここでは、住宅の敷地境界に設置するフェンスの場合を示す。なお、以下の説明において、左右方向とは、図２における左右方向（見付方向）を示し、前後方向とは、図２における上下方向（見込方向）を示す（前側が道路側、後側が住宅側である）。面構造体は、図２〜図４に示すように、複数の面状ユニット１を左右に連設したものであり、面状ユニット１は、上桟補助材７６、下桟８、横格子９、中桟１０及び左右の縦桟３，４を備え、支柱６により支持される。支柱６は、断面矩形の中空形材からなり、下端部を設置面に埋め込んで立設してある。そして、支柱６の前側面に、面状ユニット１を設け、面状ユニット１及び支柱６の上側に上桟７を設けてある。
【００１２】
上桟補助材７６は、略Ｌ字形の中空部７７と、支柱６側に形成した上向きに開口するコ字形の溝部７８を有している。また、下桟８及び横格子９は、何れも断面矩形の中空形材からなるが、下桟８の下面には溝部８１を形成してある。横格子９の本数は面構造体の大きさにより変化するが、本実施形態においては上下に等間隔に三本並んでおり、さらに横格子９の上に等間隔で上桟補助材７６が並んでおり、横格子９の下に等間隔で下桟８が並んでいて、上桟補助材７６と下桟８と横格子９の前側面は面一である。そして、上桟補助材７６、下桟８及び横格子９の左右端（小口面）に、縦桟３，４をネジ止めして取り付けてある（縦桟３，４の形状については後述する）。また、下桟８及び横格子９の左右方向中間部には、中桟１０をネジ止めして取り付けてある。中桟１０は、上下に延び後向きに開口する断面コ字形の形材からなり、下桟８及び横格子９をそれぞれ前側面にネジ止めしてあって、後側の開口部を中桟目板１０１により塞いである。また、中桟１０の下端には、中桟キャップ１０２を取り付けて、開口部を塞いである。中桟キャップ１０２は、中桟１０と下桟８をネジ止めするネジにより共締めして固定してある。このようにして、上桟補助材７６、下桟８、横格子９、縦桟３，４及び中桟１０からなる面状ユニット１が一体となっている。
【００１３】
そして、支柱６の下部の前側面には、略Ｌ字形の支持金具８２の一辺をネジ止めしてあり、前側に向けて突出する支持金具８２の他辺を下桟８の下面の溝部８１に挿入させて、面状ユニット１の下端部を支持金具８２に支持させる。さらに、支柱６の上端面に矩形平板状で前後端に垂下片７５を形成した押さえ金具７４をネジ止めし、垂下片７５を上桟補助材７６の溝部７８に挿入させて、面状ユニット１の上端部を押さえ金具７４に支持させる。このようにして、面状ユニット１を支柱６に取り付けてある。
【００１４】
縦桟３，４は、右側端に取り付ける一方の縦桟３と、左側端に取り付ける他方の縦桟４とで形状が異なっており、それぞれ説明する。まず、一方の縦桟３は、図１に示すように（図１においては左側に位置する）、前後方向に延び上桟補助材７６、下桟８及び横格子９を受ける受部３２と、受部３２の後側に延出する延出部３３を有する。受部３２の左側面に上桟補助材７６、下桟８及び横格子９の小口面が当接しており、右側からネジ止めしてある。受部の右側面（上桟補助材７６、下桟８及び横格子９の反対側面）には、略Ｌ字形の取付部３１を形成してある。取付部３１の先端は前側を向いており、受部３２と取付部３１で前側に向けて開口する係合溝３４を形成していて、係合溝３４の内周側の左右面には突起３５を形成してある。また、延出部３３は、受部３２よりも左側（上桟補助材７６、下桟８及び横格子９側）に突出しており、受部３２の前側端には、左側に向けて突出する突出片３６を形成してあって、上桟補助材７６、下桟８及び横格子９は、延出部３３と突出片３６の間に納まっている。さらに、延出部３３は、受部３２から後側に延びて右側に屈曲しており、先端には、後向きに開口するコ字形の係合部３７を形成してある。よって、係合部３７は取付部３１の後側に位置している。次に、他方の縦桟４は、図１に示すように（図１においては右側に位置する）、前後方向に延び上桟補助材７６、下桟８及び横格子９を受ける受部４２と、受部４２の後側に延出する延出部４３を有する。受部４２の右側面に上桟補助材７６、下桟８及び横格子９の小口面が当接しており、左側からネジ止めしてある。受部の左側面（上桟補助材７６、下桟８及び横格子９の反対側面）には、左側に延出する被取付部４１を形成してある。また、延出部４３は、受部４２よりも右側（上桟補助材７６、下桟８及び横格子９側）に突出しており、受部４２の前側端には、右側に向けて突出する突出片４６を形成してあって、上桟補助材７６、下桟８及び横格子９は、延出部４３と突出片４６の間に納まっている。さらに、延出部４３は、受部４２から後側に延びて左側に屈曲しており、先端には、前側に向けて突出する被係合部４７を形成してある。よって、被係合部４７は被取付部４１の後側に位置している。
【００１５】
そして、このように構成した面状ユニット１を左右に連設してある。図１に示すように、面状ユニット１同士の連結部において、一方の面状ユニット１の右側端の縦桟３（一方の縦桟３）の取付部３１（係合溝３４の底面）と、他方の面状ユニット１の左側端の縦桟４（他方の縦桟４）の被取付部４１が、見込方向に重なっている。この際、取付部３１が、被取付部４１の前側に位置しており、前側（取付部３１側）から係合溝３４内にネジ５を螺入して、取付部３１（係合溝３４の底面）と被取付部４１をネジ止めしてある。また、取付部３１と被取付部４１のネジ止め部分の後側においては、一方の縦桟３の係合部３７（溝部）と、他方の縦桟４の被係合部４７（突部）が係合している。そして、このように連結した両縦桟３，４に、前側から連結部カバー２を取り付けてある。連結部カバー２は、後向きに開口するコ字形で、その内側に縦桟３，４の突出片３６，４６が納まるものであり、後側に延びる二本の係合脚２１を有している。係合脚２１は一方の縦桟３の係合溝３４内に納まり、くの字形に屈曲した先端部が係合溝３４内の突起３５に係合することで、連結部カバー２が縦桟３に固定される。連結部カバー２により、前側からは縦桟３，４及びネジ５が完全に覆い隠される。なお、連結した縦桟３，４の下端には、縦桟キャップ３８をネジ止めして取り付けて開口部を塞いである。
【００１６】
また、上桟７は、支柱６よりも前後幅が広く、前後方向中央下面にＣ字形の取付溝７１を有しており、前後端に垂直向きの見込面部７２を有していて、取付溝７１には裏板７３を挿入してある。この上桟７を、上桟補助材７６の中空部７７の上端部にネジ止めし、さらに押さえ金具７４側から裏板７３にネジ止めして、面状ユニット１及び支柱６に対して前後二箇所で固定してある。さらに、上桟７の下面の、支柱６の後側に突出する部分にも、前側と同様に、上桟補助材７６を取り付けてある。上桟補助材７６の下面は略平面であって、上桟７の下面を覆い隠している。さらに、上桟７には、上側から上桟カバー１１を取り付けてあって、上桟７の上面及び上桟７と上桟補助材７６の前後面を覆い隠している。上桟カバー１１は下向きに開口するコ字形で、前後面の内周側に突起１１１を形成してあって、突起１１１が上桟７の見込面部７２の下端部に係合することで、上桟カバー１１を上桟７に固定してある。なお、上桟７及び上桟カバー１１は、面構造体の左右にわたって通しで取り付けてある。ただし、複数に分割してもよく、その場合、左右の上桟７の中空部に嵌合し、上桟カバー１１の端部を覆う上桟連結材により、上桟７及び上桟カバー１１を連結する。
【００１７】
さらに、面構造体の左右端部においては、図２に示すように、小口材１２を取り付けてある。小口材１２は、上下に延びる前後対称な部材であり、中央の基部１２１、基部１２１の前後両側に形成した右側（面状ユニット１側）に向けて開口する溝部１２２、その前後両側に形成した左側（面状ユニット１の反対側）に向けて突出する爪部１２３、さらにその前後両側に形成した右側（面状ユニット１側）に向けて突出する二本の突条からなる当接部１２４からなる。小口材１２は、面構造体の端部の縦桟３，４に取り付けるものであり、図２の図示範囲においては他方の縦桟４に取り付けてある。より詳しくは、小口材１２の基部１２１に縦桟４の延出部４３の先端が当接しており、小口材１２の当接部１２４が縦桟４の受部４２の左側面に当接していて、当接部１２４を受部４２にネジ止めして固定してある。また、小口材１２の後側部分には縦桟３，４が存在しないので、この部分に右側（面状ユニット１側）から小口補助材１２５を取り付けてある。小口補助材１２５は、平板状の部材であり、前端部が縦桟４の延出部４３に当接していて、小口材１２側からネジ止めしてある。そして、小口材１２には、小口材カバー１３を取り付けてあって、小口材１２及び縦桟３，４を覆い隠している。小口材カバー１３は、右向き（面状ユニット１向き）に開口するコ字形で、見込幅が上桟カバー１１と略等しく、内側には右側に向けて突出する爪部１３１を有していて、爪部１３１を小口材１２の爪部１２３に係合させて、小口材１２に固定してある。また、前後面の内周側には突出片１３２を形成してあり、前側の突出片１３２が、縦桟４の前端部に当接しており、後側の突出片１３２が、小口補助材１２５の後端部に当接している。また、小口材１２、小口補助材１２５及び小口材カバー１３の下端には、小口材キャップ１２６を取り付けて、開口部を塞いである。小口材キャップ１２６は、上向きに突出する二つの係合突起１２７と、下桟８側に延びる固定片１２８を有しており、係合突起１２７を小口材１２の溝部１２２に納め、固定片１２８を下桟８の溝部８１に納めて、それぞれネジ止めして固定してある。さらに、小口材１２、小口補助材１２５及び小口材カバー１３の上端は、上桟カバー１１により覆ってある。そして、上桟７及び上桟カバー１１の端部には、上桟キャップ７９を取り付けて小口面を覆ってある。なお、一方の縦桟３に小口材１２を取り付ける場合も、他方の縦桟４の場合と略同じである。
【００１８】
このように構成した面構造体によれば、一方の縦桟３の取付部３１を表側（住宅の敷地境界に設置するフェンスの場合には道路側）に向けることで、面状ユニット１同士を連結するためのネジ止めを表側から行うことができるので、面構造体の裏側に近接して壁面などの構造物が位置する場合であっても施工が可能である。また、ネジ５を連結部カバー２で覆ってあり、左右の面状ユニット１の境目も見えなくなるので、意匠性が良好である。さらに、ネジ止め部分の裏側（後側）において、一方の縦桟３の係合部３７と他方の縦桟４の被係合部４７が係合しており、両縦桟３，４が前後の二箇所で固定されるので、連結強度が高い。この点については、表側からネジ止めする構成にしたことにより、裏側を隙間なく係合させる構造が可能になったものであり、これにより裏側の意匠性も良好なものとなっている。また、連結部カバー２は、一方の縦桟３の係合溝３４に係合するもので、他方の縦桟４には係合しないので、面状ユニット１同士の連結の施工精度によらず、連結部カバー２を確実に嵌めることができる。
【００１９】
続いて、上記の面構造体１００を組み合わせて構成した建築構造体について説明する。図５及び図６に示すように、この建築構造体は、二つの面構造体１００を前後に背中合わせにして対面配置した構成となっている。ただし、支柱６、上桟７及び小口材１２は、前後の面構造体１００で共有する構成となっており、支柱６の前後面に、上桟補助材７６、下桟８及び横格子９、縦桟３，４及び中桟１０からなる面状ユニット１を取り付けてある。そして、両面構造体１００において、一方の縦桟３の取付部３１が、外側を向く配置となっている。面状ユニット１及びその連結部の構成については、面構造体１００単独の場合と同じであるから、説明は省略するが、建築構造体の左右端部においては、図５に示すように、小口補助材が不要であり、小口材１２の前後に、一方の縦桟３と他方の縦桟４をネジ止めしてある。また、上桟７を前後の面状ユニット１の上桟補助材７６にネジ止めして固定できるので、裏板は不要である。
【００２０】
このように構成した建築構造体によれば、面構造体１００が背中合わせに配置してあるので、それぞれの面構造体１００に対して裏側から作業を行うことが不可能であるが、一方の縦桟３の取付部３１が外側（表側）を向いており、面状ユニット１同士を連結するためのネジ止めを外側（表側）から行うことができるので、施工が可能となっている。また、ネジ５を連結部カバー２で覆ってあり、左右の面状ユニット１の境目も見えなくなるので、意匠性が良好である。さらに、ネジ止め部分の裏側（後側）において、一方の縦桟３の係合部３７と他方の縦桟４の被係合部４７が係合しており、両縦桟３，４が前後の二箇所で固定されるので、連結強度が高い。この点については、表側からネジ止めする構成にしたことにより、裏側を隙間なく係合させる構造が可能になったものである。また、連結部カバー２は、一方の縦桟３の係合溝３４に係合するもので、他方の縦桟４には係合しないので、面状ユニット１同士の連結の施工精度によらず、連結部カバー２を確実に嵌めることができる。
【００２１】
本発明は、上記の実施形態に限定されない。たとえば、面状ユニットが上下に連設されるものであってもよい。その場合、面状ユニットの上下端の横桟が、それぞれ取付部と被取付部を備えることになる。また、縦桟において、取付部と被取付部は、見込方向に重なってネジ止めされるものであれば、形状はどのようなものであってもよいし、係合部と被係合部も、形状や係合方法はどのようなものであってもよい。さらに、連結部カバーの取付構造についても、どのようなものであってもよいが、上記のように、一方の縦桟の取付部のみに固定するようにすれば、面状ユニット同士の連結の施工精度によらず、連結部カバーを確実に嵌めることができるので、好ましい。また、縦桟以外の部分の構成は、面構造体及び建築構造体の設置箇所や設置目的などに応じて、適宜設定できる。
【符号の説明】
【００２２】
１  面状ユニット
２  連結部カバー
３  縦桟（一方の桟）
４  縦桟（他方の桟）
５  ネジ
３１  取付部
４１  被取付部
１００  面構造体
【図１】
2015127469.tif 000003
【図２】
2015127469.tif 000004
【図３】
2015127469.tif 000005
【図４】
2015127469.tif 000006
【図５】
2015127469.tif 000007
【図６】
2015127469.tif 000008